(57)【要約】 【課題】  非稼動状態においても外部の音楽再生機器からの音声信号をもとにした音声出力を可能とすると共に音声出力時の省電力を実現する。【解決手段】  スピーカを有する電子機器において、外部機器（オーディオプレーヤ）からの音声信号を入力するラインイン端子１９と、入力された音声信号を増幅してスピーカ１８から音声を出力させるスピーカアンプ５４と、スピーカアンプ５４に対して電源供給する電源回路４６と、ラインイン端子１９に接続があった際に切り替えられるスイッチ５２と、電源回路４６による電源供給を制御するものであって、電子機器が非稼働状態にある時にスイッチ５２の切り替えがあった場合に電源回路４６をスピーカアンプ５４に対して電源供給するように制御するＥＣ／ＫＢＣ４５とを設ける。【選択図】図２
2011192309.tif 000002
【特許請求の範囲】
【請求項１】
外部機器からの音声信号を入力する端子と、
前記端子から出力された音声信号を増幅するアンプと、
非稼働状態にあって前記アンプに電力が供給されていない場合であっても、前記端子にプラグが挿入されているならば前記アンプに対し電力供給するように制御する制御手段と
を具備したことを特徴とする電子機器。
【請求項２】
電子機器に対し外部機器からの音声信号を入力する端子と、
前記端子から出力された音声信号を増幅するアンプと、
前記電子機器の各構成に電力を供給する第１の電源系とは別系統の、前記アンプに対して電力供給する第２の電源系と、
前記端子にプラグが挿入されているならば前記第２の電源系から前記アンプに対して電力供給するように制御する制御手段と
を具備したことを特徴とする電子機器。
【請求項３】
前記端子と前記アンプとを接続する第１の経路と、前記電子機器が稼働時に動作するコントローラを介して前記端子と前記アンプとを接続する第２の経路の何れかに切り替える切り替え手段をさらに具備し、
前記制御手段は、前記アンプに対して電力供給する場合に、前記切り替え手段を前記第１の経路側に切り替えることを特徴とする請求項１又は２に記載の電子機器。
【請求項４】
前記制御手段は、前記アンプに対して電力供給する前に前記アンプから出力される音声信号をミュートするように前記アンプに指示し、電力の供給を開始した後に、前記ミュートを解除することを特徴とする請求項１又は２記載の電子機器。
【請求項５】
電子機器が備えるアンプへの電源供給を制御する方法であって、
前記電子機器が非稼動状態にある場合、
制御手段は、前記電子機器が備える外部機器からの音声信号を入力する端子にプラグが挿入されているか否かを検出し、
プラグが挿入されていた場合、前記電子機器の各構成に電力を供給する電源系とは別系統の電源系により、前記アンプに対して電力供給するように制御する
ことを特徴とする電源供給制御方法。
【請求項６】
前記制御手段は、前記アンプに対して電力供給する前に前記アンプから出力される音声信号をミュートするように前記アンプに指示し、電力の供給を開始した後に、前記ミュートを解除することを特徴とする請求項５に記載の電源供給制御方法。
【請求項７】
電子機器の各構成への電源供給を制御する方法であって、
プロセッサは、前記電子機器に対するシステムステート変更の指示を検出し、電源オフ、又はスタンバイモードへの移行指示であった場合には、当該モードにおいて電力供給が必要な各構成へ電力を供給する電源をオン状態とするとともに、
プロセッサは、前記電子機器が備える外部機器からの音声信号を入力する端子にプラグが挿入されているか否かを検出し、プラグが挿入されていた場合には、前記端子から出力された音声信号を増幅するアンプに供給する電源をさらにオンし、
プロセッサは、前記アンプに供給する電源がオンのときであって、前記プラグが挿入されていない場合には、該電源をオフする
ことを特徴とする電源供給制御方法。
【発明の詳細な説明】
【技術分野】
【０００１】
本発明は、スピーカを有する電子機器及び電源供給制御方法に関する。
【背景技術】
【０００２】
従来、ディスクプレーヤーが組み込まれているポータブル型コンピュータにおいて、ヘッドホンによる信号の再生聴取動作を独立して行うことができる装置が知られている（特許文献１）。特許文献１に記載されたポータブル型コンピュータは、ヘッドホンジャックにヘッドホンのプラグを挿入したとき、電源をディスクプレーヤー部、ヘッドホン用再生回路、及び操作スイッチ部に供給することにより、ヘッドホンによる再生聴取動作を、コンピュータ回路部への電源を供給するための電源スイッチの切換動作に関係無く行うことができる。
【先行技術文献】
【特許文献】
【０００３】
【特許文献１】特開平１０−３４０５１７号公報
【発明の概要】
【発明が解決しようとする課題】
【０００４】
このように従来技術では、電源スイッチの切換動作に関係無く、ヘッドホンによる再生聴取動作をすることができる。しかし、操作スイッチ部に設けられている再生用操作スイッチ、選曲用操作スイッチ、早送り用操作スイッチ、停止用操作スイッチの操作に応じた動作をさせる必要があるため、ポータブル型コンピュータをディスクプレーヤーとして起動させる必要があった。
【０００５】
また、従来技術では、ポータブル型コンピュータをディスクプレーヤーとして動作させるだけであり、外部の音楽再生機器（携帯オーディオプレーヤなど）からの音声信号を入力して、ヘッドホンから出力させることはできなかった。
【０００６】
本発明は上述の事情を考慮してなされたものであり、非稼動状態においても外部の音楽再生機器からの音声信号をもとにした音声出力を可能とすると共に音声出力時の省電力を実現することが可能な電子機器及び電源供給制御方法を提供することを目的とする。
【課題を解決するための手段】
【０００７】
上述の課題を解決するため、本発明は、外部機器からの音声信号を入力する端子と、前記端子から出力された音声信号を増幅するアンプと、非稼働状態にあって前記アンプに電力が供給されていない場合であっても、前記端子にプラグが挿入されているならば前記アンプに対し電力供給するように制御する制御手段とを具備したことを特徴とする。
【発明の効果】
【０００８】
本発明によれば、非稼動状態においても外部の音楽再生機器からの音声信号をもとにした音声出力を可能とすると共に音声出力時の省電力を実現する。
【図面の簡単な説明】
【０００９】
【図１】本実施形態における電子機器の構成を示す外観図。
【図２】本実施形態におけるパーソナルコンピュータ１０のシステム構成を示すブロック図。
【図３】本実施形態におけるパーソナルコンピュータの各状態（システムステート）において供給される電源を示す図。
【図４】本実施形態におけるパーソナルコンピュータ１０の状態（システムステート）の遷移を示す図。
【図５】本実施形態におけるパーソナルコンピュータ１０の動作を示すフローチャート。
【図６】本実施形態におけるパーソナルコンピュータ１０の動作を示すフローチャート。
【図７】本実施形態における電源オン時に電源供給されるモジュールを示す図。
【図８】本実施形態におけるプラグ挿入なしのスタンバイモード時に電源供給されるモジュールを示す図。
【図９】本実施形態におけるプラグ挿入ありのスタンバイモード時に電源供給されるモジュールを示す図。
【図１０】本実施形態におけるプラグ挿入なしの電源オフ時に電源供給されるモジュールを示す図。
【図１１】本実施形態におけるプラグ挿入ありの電源オフ時に電源供給されるモジュールを示す図。
【発明を実施するための形態】
【００１０】
以下、図面を参照して、本発明の実施形態を説明する。  
図１は、本実施形態における電子機器の構成を示す外観図である。この電子機器は、例えば、ノートブック型の携帯型パーソナルコンピュータ１０として実現されている。本実施形態におけるパーソナルコンピュータ１０は、非稼働状態の時に、ラインアウト付き外部機器（例えば、携帯型のオーディオプレーヤ２５）から出力されたアナログ音声信号を入力して、筐体に実装されたスピーカ１８から出力させる音声出力機能（スリープ＆ミュージック機能）を有している。
【００１１】
オーディオプレーヤ２５からの出力を直接スピーカに接続した場合、オーディオプレーヤ２５の出力がスピーカの能力に比べて小さいため、十分な音量の音声を出力することが出来ない。本実施形態におけるパーソナルコンピュータ１０に設けられた音声出力機能は、パーソナルコンピュータ１０が非稼働状態にある場合でも、内蔵された音声信号増幅のためのアンプに電源を供給して、オーディオプレーヤ２５からの音声信号を増幅してスピーカから出力させることができる。
【００１２】
なお、パーソナルコンピュータ１０の非稼働状態とは、例えば電源オフ状態の他、スタンバイ／スリープ／サスペンド、ハイバネーション（休止状態）と称される状態を含むものとする。すなわち、非稼働状態は、プロセッサ（ＣＰＵ３０）が動作していない状態である。
【００１３】
図１は、パーソナルコンピュータ１０のディスプレイユニットを開いた状態における斜視図である。パーソナルコンピュータ１０は、コンピュータ本体１１と、ディスプレイユニット１２とから構成されている。ディスプレイユニット１２には、ＬＣＤ（Liquid Crystal Display）１７から構成される表示装置が組み込まれており、そのＬＣＤ１７の表示画面はディスプレイユニット１２のほぼ中央に位置されている。
【００１４】
ディスプレイユニット１２は、コンピュータ本体１１に対して開放位置と閉塞位置との間を回動自在に取り付けられている。コンピュータ本体１１はバッテリが取り外し自在に装着可能な薄い箱形の筐体を有している。
【００１５】
コンピュータ本体１１の上面には、キーボード１３、パワーオン／オフするためのパワーボタンスイッチ１４、汎用ハードウェアボタン１５、タッチパッド１６、スピーカ１８などが配置されている。
【００１６】
コンピュータ本体１１の側面には、オーディオプレーヤ２５から出力されたアナログ音声信号を入力するためのラインイン端子１９（ジャック）、非稼働時に音声出力機能が有効な場合に音量調節するために使用されるボリュームつまみ２０が設けられている。ラインイン端子１９には、オーディオプレーヤ２５のラインアウト端子と接続されたケーブル２６を接続することができる。
【００１７】
次に、図２を参照して、本実施形態におけるパーソナルコンピュータ１０のシステム構成について説明する。
【００１８】
パーソナルコンピュータ１０は、図２に示すように、ＣＰＵ３０、ＭＣＨ３１（ノースブリッジ）、メインメモリ３２、表示コントローラ３５、ＩＣＨ４０（サウスブリッジ）、ハードディスクドライブ（ＨＤＤ）４１、ＢＩＯＳ−ＲＯＭ４２、エンベデッドコントローラ／キーボードコントローラＩＣ（ＥＣ／ＫＢＣ）４５、電源回路４６等を備えている。
【００１９】
ＣＰＵ３０は、パーソナルコンピュータ１０の動作を制御するために設けられたプロセッサであり、ＨＤＤ４１からメインメモリ３２にロードされる、オペレーティングシステム（ＯＳ）、各種ハードウェアを制御するドライバ、および各種アプリケーションプログラム等を実行する。さらに、ＣＰＵ３０は、ＢＩＯＳ−ＲＯＭ４２に格納されたシステムＢＩＯＳ（Basic Input Output System）も実行する。システムＢＩＯＳはハードウェア制御のためのプログラムである。
【００２０】
ＭＣＨ３１は、ＣＰＵ３０のローカルバスとＩＣＨ４０との間を接続するブリッジデバイスである。ＭＣＨ３１には、メインメモリ３２をアクセス制御するメモリコントローラも内蔵されている。
【００２１】
表示コントローラ３５は、パーソナルコンピュータ１０のディスプレイモニタとして使用されるＬＣＤ１７を制御する。表示コントローラ３５は、ＭＣＨ３１を介してＣＰＵ３０から送信される描画要求に基づいてビデオメモリ（ＶＲＡＭ）にフレーム群を描画するための表示処理（グラフィクス演算処理）を実行する。
【００２２】
ＩＣＨ４０は、ＨＤＤ４１および光ディスクドライブ（図示せず）を制御するためのＩＤＥ（Integrated Drive Electronics）コントローラやSerial ATAコントローラを内蔵している。
【００２３】
エンベデッドコントローラ／キーボードコントローラＩＣ（ＥＣ／ＫＢＣ）４５は、電力管理のためのエンベデッドコントローラと、キーボード（ＫＢ）１３、タッチパッド１５、及び汎用ハードウェアボタン１８を制御するためのキーボードコントローラとが集積された１チップマイクロコンピュータである。
【００２４】
ＥＣ／ＫＢＣ４５は、ユーザによるパワーボタンスイッチ１４の操作に応じて電源回路４６を制御し、パーソナルコンピュータ１０をパワーオン／パワーオフする機能を有している。パーソナルコンピュータ１０のパワーオン／パワーオフの制御は、ＥＣ／ＫＢＣ４５と電源回路４６との共同動作によって実行される。また、ＥＣ／ＫＢＣ４５は、パーソナルコンピュータ１０が非稼働時に使用される音声出力機能を制御する。
【００２５】
電源回路４６は、コンピュータ本体１１に装着されたバッテリ４７、またはＡＣアダプタ４８を介して接続された外部電源から電源供給を受けて、各コンポーネントへの動作電源を生成して供給する。電源回路４６には、電源マイコンが設けられている。電源マイコンは、各コンポーネントとバッテリに対する電源供給（充放電）や、バッテリの充電状態を監視する。
【００２６】
電源回路４６は、パーソナルコンピュータ１０のシステムステートに応じて、ＥＣ／ＫＢＣ４５の制御によって各モジュールへの電源供給を切り替える。電源回路４６は、パーソナルコンピュータ１０のシステムステートに応じたＥＣ／ＫＢＣ４５の制御によって、Ｓ電源、Ｂ電源、Ａ電源、Ｐ電源のそれぞれの電源系について供給をオン／オフすることができる。
【００２７】
Ｓ電源は、システムが電源オフされた状態においても常に供給される電源であり、ＥＣ／ＫＢＣ４５に供給される。
【００２８】
Ｂ電源は、スタンバイ状態においてメインメモリ３２に記録されたデータをバックアップするために供給される電源である。
【００２９】
Ａ電源は、パーソナルコンピュータ１０が非稼働状態にある時に音声出力機能を有効にするための電源であり、アナログ音声信号を処理するアナログスイッチ５３及びスピーカアンプ５４に供給される電源である。
【００３０】
Ｐ電源は、パーソナルコンピュータ１０が電源オン状態にある場合に供給される電源である。
【００３１】
図３は、パーソナルコンピュータ１０の各状態（システムステート）において供給される電源を示す図である。  
図３に示すように、パーソナルコンピュータ１０が電源オンの状態（稼働状態）にある場合には、電源回路４６は、Ｓ電源、Ｂ電源、Ｐ電源、Ａ電源の全ての供給をオンする。
【００３２】
また、パーソナルコンピュータ１０がスタンバイ状態（あるいはスリープ／サスペンドの状態）にある場合には、Ｓ電源、Ｂ電源の供給をオンする。ただし、本実施形態のパーソナルコンピュータ１０では、スタンバイ状態において音声出力機能を使用するため、ケーブル２６（携帯オーディオプレーヤ２５）を接続するためのプラグがラインイン端子１９に挿入された場合には、さらにＡ電源の供給をオンして、音声出力機能で動作させるアナログスイッチ５３及びスピーカアンプ５４に対して電源供給する。
【００３３】
また、パーソナルコンピュータ１０が電源オフの状態（メインメモリ３２へのバックアップが不要なハイバネーション（休止状態）を含む）にある場合には、Ｓ電源の供給のみをオンする。ただし、本実施形態のパーソナルコンピュータ１０では、電源オフ状態において音声出力機能を使用するため、ケーブル２６（携帯オーディオプレーヤ２５）を接続するためのプラグがラインイン端子１９に挿入された場合には、さらにＡ電源の供給をオンして、音声出力機能で動作させるアナログスイッチ５３及びスピーカアンプ５４に対して電源供給する。
【００３４】
ＥＣ／ＫＢＣ４５にはＳ電源が供給されるため、何れのシステムステートにおいても電源供給がオンされ、非稼働時における音声出力機能の制御が可能である。
【００３５】
サウンドコントローラ５０（オーディオコーデック）は、ＩＣＨ４０を通じて入力されるデジタルオーディオデータをアナログ音声信号に変換すると共に、ＯＳやデバイスドライバ、音声再生プログラム等の制御による音量調整をしてアナログスイッチ５３に出力する。また、サウンドコントローラ５０は、パーソナルコンピュータ１０が稼働時にある場合には、同様にして、ラインイン端子１９を介して入力されたオーディオプレーヤ２５からのアナログ音声信号の音量調整をしてアナログスイッチ５３に出力する。
【００３６】
アナログスイッチ５３は、ＥＣ／ＫＢＣ４５からのセレクト信号Ｓ２に応じて、サウンドコントローラ５０側あるいはラインイン端子１９側の何れかの経路に切り替える。アナログスイッチ５３は、ＥＣ／ＫＢＣ４５の制御により、パーソナルコンピュータ１０が稼働時には、サウンドコントローラ５０側に切り替えられ、非稼働時に音声出力機能が有効である場合に、サウンドコントローラ５０をバイパスするラインイン端子１９側に切り替えられる。
【００３７】
スピーカアンプ５４は、アナログスイッチ５３を介して入力されるアナログ音声信号を増幅し、スピーカ１８から音声信号に応じた音声を出力させる。また、スピーカアンプ５４は、音声出力機能が有効な場合に、ボリュームつまみ２０に対する操作に応じて音声信号に対する音量調整を行う。
【００３８】
なお、ラインイン端子１９には、スイッチ５２が内蔵されている。スイッチ５２は、ラインイン端子１９にケーブル２６を接続するためのプラグの挿入によってオン／オフが切り替えられ、オン／オフの状態に応じたステータス信号Ｓ１をＥＣ／ＫＢＣ４５に出力する。
【００３９】
次に、本実施形態におけるパーソナルコンピュータ１０の動作について説明する。  
本実施形態におけるパーソナルコンピュータ１０は、電源オフまたはスタンバイモードなどの非稼働状態にある場合に、ラインイン端子１９にケーブル２６を接続するためのプラグが挿入されたとき、スピーカアンプ５４の電源供給（Ａ電源の供給）をオンにし、またサウンドコントローラ５０をバイパスするアナログスイッチ５３を切り替える。これにより、パーソナルコンピュータ１０を起動することなく、パーソナルコンピュータ１０に内蔵されたスピーカ１８で携帯オーディオプレーヤ２５から出力された音声信号による音声（音楽）を出力する。
【００４０】
図４は、本実施形態におけるパーソナルコンピュータ１０の状態（システムステート）の遷移を示す図である。図５及び図６は、パーソナルコンピュータ１０の動作を示すフローチャートである。
【００４１】
パーソナルコンピュータ１０は、パワーボタンスイッチ１４の操作によって電源オンが指示されると（ステップＡ３、Ｙｅｓ）、ＥＣ／ＫＢＣ４５の制御により電源回路４６から各モジュールに対して電源供給する（ステップＡ４）。電源オン状態では、電源回路４６は、Ｓ電源、Ｂ電源、Ｐ電源、Ａ電源の全ての電源供給をオンする（図４に示す状態Ｍ１）。
【００４２】
図７には、電源オン時に電源供給されるモジュールを示している。図７に示すように、ＣＰＵ３０、ＭＣＨ３１、ＩＣＨ４０、メインメモリ３２、ＨＤＤ４１、サウンドコントローラ５０、アナログスイッチ５３、スピーカアンプ５４等に電源供給される。ＥＣ／ＫＢＣ４５は、電源オン時には、セレクト信号Ｓ２によりアナログスイッチ５３をサウンドコントローラ５０側に切り替える。
【００４３】
音声処理については、ＯＳやデバイスドライバ、ソフトウェアプログラム等が動作して、各モジュールを制御する。サウンドコントローラ５０は、プログラムの制御により、デジタルオーディオデータをアナログ音声信号に変換して、アナログスイッチ５３に出力する。スピーカアンプ５４は、アナログスイッチ５３を介して入力されるアナログ音声信号を増幅して、スピーカ１８から音声を出力させる。
【００４４】
また、サウンドコントローラ５０は、ラインイン端子１９から入力されたアナログ音声信号についても音量制御をしてアナログスイッチ５３に出力する。同様にして、スピーカアンプ５４は、アナログスイッチ５３を介して入力されるアナログ音声信号を増幅して、スピーカ１８から音声を出力させる。
【００４５】
ユーザによりスタンバイモードへの移行が指示されると（ステップＡ１、Ｙｅｓ）、ＥＣ／ＫＢＣ４５は、電源回路４６に対してＰ電源の供給をオフさせる。すなわち、電源回路４６は、スタンバイモードに移行されると（図４のｍ１２）、Ｂ電源とＳ電源のみについて供給をオンする（図４に示す状態Ｍ２）。図８には、プラグ挿入なしのスタンバイモード時に電源供給されるモジュールを示している。図８に示すように、ＣＰＵ３０を含む多くのモジュールに対する電源供給がオフされ、消費電力を下げた待機モードとなる。スタンバイモードでは、ＣＰＵ３０が動作しないためプログラムは動作する事ができない。
【００４６】
００４６
この時、ラインイン端子１９にプラグが挿入されている場合、ラインイン端子１９に内蔵されたスイッチ５２がオン状態になり、ＥＣ／ＫＢＣ４５へ接続されているステータス信号Ｓ１がＬｏｗ状態となる。ＥＣ／ＫＢＣ４５は、ステータス信号Ｓ１により、ラインイン端子１９にプラグが挿入されていることを検出する。ＥＣ／ＫＢＣ４５は、プラグの挿入を検出すると（ステップＡ５、Ｙｅｓ）（図４のｍ２３）、音声出力機能を有効にするためのスピーカアンプ電源オンモードへ移行させる前に、ミュート信号Ｓ３によりスピーカアンプ５４をミュート状態にしておく（ステップＡ６）。すなわち、スピーカアンプ５４への電源投入時やアナログスイッチ５３の切り替え時にノイズが発生するため、スピーカアンプ５４によりスピーカ１８から音が出力されないようにしておく。
【００４７】
スピーカアンプ５４をミュート状態にした後、ＥＣ／ＫＢＣ４５は、電源回路４６に対してＡ電源の供給をオンさせて（ステップＡ７）、スピーカアンプ電源オンモードへ移行させる（図４の状態Ｍ３）。図９には、プラグ挿入ありのスタンバイモード時に電源供給されるモジュールを示している。図９に示すように、ＣＰＵ３０を含む多くのモジュールに対する電源供給がオフされ、消費電力を下げた待機モードのままで、音声出力機能に関係するスピーカアンプ５４とアナログスイッチ５３に対してのみＡ電源が供給されている。
【００４８】
サウンドコントローラ５０は、プログラムによって制御されるスタンバイモードでは動作しない。このため、ＥＣ／ＫＢＣ４５は、セレクト信号Ｓ２によりアナログスイッチ５３を制御して、ラインイン端子１９から入力されたアナログ音声信号がサウンドコントローラ５０をバイパスしてスピーカアンプ５４へ伝わるように経路を切り替える（ステップＡ８）。
【００４９】
ＥＣ／ＫＢＣ４５は、アナログスイッチ５３の切り替えが終わった後に、ミュート信号Ｓ３により、スピーカアンプ５４のミュート状態を解除する（ステップＡ９）。
【００５０】
スピーカアンプ電源オンモードでは、ラインイン端子１９に接続された携帯オーディオプレーヤ２５において例えば音楽が再生されると、この音楽のアナログ音声信号がラインイン端子１９、アナログスイッチ５３を通じてスピーカアンプ５４に入力される。スピーカアンプ５４は、電源回路４６によりＡ電源が供給されているため、アナログ音声信号を増幅して、スピーカ１８から音楽が出力させることができる。この時、パーソナルコンピュータ１０は、スタンバイ状態にあり、音声出力機能に関係しないモジュールに対しては電源供給されていない。
【００５１】
一方、電源オン時にユーザにより電源オフへの移行が指示されると（ステップＡ１、Ｙｅｓ）、ＥＣ／ＫＢＣ４５は、電源回路４６に対してＰ電源とＢ電源の電源供給をオフさせる。すなわち、電源回路４６は、電源オフ状態に移行されると（図４のｍ１２）、Ｓ電源のみについて供給をオンする（図４に示す状態Ｍ２）。図１０には、プラグ挿入なしの電源オフ時に電源供給されるモジュールを示している。図１０に示すように、メインメモリ３２のバックアップも不要であるのでＢ電源も供給されておらず、最も消費電力を下げた状態となる。
【００５２】
なお、電源オフ状態の時も、ラインイン端子１９へプラグが挿入された場合には（ステップＡ５、Ｙｅｓ）、前述したスタンバイモードと同様にして、スピーカアンプ電源オンモードに移行し、携帯オーディオプレーヤ２５から出力された音声をスピーカ１８から出力させることができるようになる（ステップＡ６〜Ａ９）。図１１には、プラグ挿入ありの電源オフ時に電源供給されるモジュールを示している。図１１に示すように、Ｓ電源の他は、音声出力機能に関係するスピーカアンプ５４とアナログスイッチ５３に対してのみＡ電源が供給されているため消費電力が少なくて済む。
【００５３】
スピーカアンプ電源オンモードの状態においてラインイン端子１９からプラグが抜かれた場合、ＥＣ／ＫＢＣ４５は、スイッチ５２からのステータス信号Ｓ１によってプラグの抜出を検出する（ステップＡ１０、Ｙｅｓ）（図４のｍ３２）。ＥＣ／ＫＢＣ４５は、ラインイン端子１９にプラグが挿入される前の電源オフ状態あるいはスタンバイ状態に移行させる前に、ミュート信号Ｓ３によりスピーカアンプ５４をミュート状態にしておく（ステップＡ１１）。
【００５４】
スピーカアンプ５４をミュート状態にした後、ＥＣ／ＫＢＣ４５は、セレクト信号Ｓ２によりアナログスイッチ５３を制御して、サウンドコントローラ５０側に切り替えて、ラインイン端子１９から入力されたアナログ音声信号がサウンドコントローラ５０を介してスピーカアンプ５４へ伝わるように経路を切り替える（ステップＡ１２）。
【００５５】
ＥＣ／ＫＢＣ４５は、電源回路４６に対して、電源オフあるいはスタンバイモードに応じて電源供給させる（ステップＡ１３）。すなわち、電源オフの場合にはＳ電源のみを供給をオンし（図１０）、スタンバイモードの場合にはＢ電源とＳ電源の供給をオンさせる（図８）。すなわち、アナログスイッチ５３とスピーカアンプ５４に対するＡ電源の供給をオフする。
【００５６】
ＥＣ／ＫＢＣ４５は、電源供給の切り替えが完了した後、ミュート信号Ｓ３により、スピーカアンプ５４のミュート状態を解除する（ステップＡ１４）。
【００５７】
また、スピーカアンプ電源オンモードにおいてパワーボタンスイッチ１４が押され、ユーザにより電源オンが指示されると（ステップＡ１５、Ｙｅｓ）、ＥＣ／ＫＢＣ４５は、ミュート信号Ｓ３によりスピーカアンプ５４をミュート状態にしておく（ステップＡ１６）。
【００５８】
スピーカアンプ５４をミュート状態にした後、ＥＣ／ＫＢＣ４５は、電源オン状態へ移行させるため（図４のｍ３１）、電源回路４６に対してＳ電源、Ｂ電源、Ｐ電源、Ａ電源の全ての電源供給をオンする（図４に示す状態Ｍ１）。
【００５９】
また、ＥＣ／ＫＢＣ４５は、セレクト信号Ｓ２によりアナログスイッチ５３を制御して、ラインイン端子１９から入力されたアナログ音声信号がサウンドコントローラ５０を介してスピーカアンプ５４へ伝わるように、サウンドコントローラ５０側に経路を切り替える（ステップＡ１８）。
【００６０】
ＥＣ／ＫＢＣ４５は、アナログスイッチ５３の切り替えが終わった後に、ミュート信号Ｓ３により、スピーカアンプ５４のミュート状態を解除する（ステップＡ１９）。
【００６１】
このようにして、本実施形態におけるパーソナルコンピュータ１０では、電源オフまたはスタンバイモード等の非稼働状態において、ラインイン端子１９に携帯オーディオプレーヤ２５を接続するためのプラグが挿入された時に、スピーカアンプ５４に対する電源供給（Ａ電源）をオンすると共に、ラインイン端子１９から入力されたアナログ音声信号を、サウンドコントローラ５０をバイパスさせてスピーカアンプ５４に入力させることで、パーソナルコンピュータ１０を再起動すること無しに、携帯オーディオプレーヤ２５から出力される音声信号による音声をスピーカ１８から出力させることができる。
【００６２】
なお、前述した説明では、ラインイン端子１９を音声信号入力用として説明しているが、マイク接続用と兼用しても良い。この場合、サウンドコントローラ５０を介してマイク用の電源をラインイン端子１９に供給するものとする。サウンドコントローラ５０に対しては、電源オフまたはスタンバイモードにおいてはＰ電源の供給がオフされるため、ラインイン端子１９に対してマイク用の電源は供給されない。
【００６３】
また、前述した説明では、スイッチ５２によりプラグ挿入が検出された場合に、電源回路４６によるＡ電源の供給（スピーカアンプ５４とアナログスイッチ５３に対する電源供給）をオンするものとしているが、他の構成によりＡ電源の供給のオン／オフを切り替えるようにしても良い。例えば、図２に示すように、Ａ電源の電源供給のオン／オフを手動操作よって指示するためのスイッチ６０を設ける。ＥＣ／ＫＢＣ４５は、パーソナルコンピュータ１０が非稼働状態にある場合に、ユーザの手動操作によりスイッチ６０がオンされたことを検出すると、電源回路４６に対してＡ電源の供給オンを設定する。
【００６４】
また、ラインイン端子１９に内蔵されたスイッチ５２に代えて、独立したスイッチを設けて、ユーザの手動動作によってオン／オフを切り替えられるようにしても良い。このスイッチのオン／オフに応じたステータス信号Ｓ１がＥＣ／ＫＢＣ４５に入力される。ユーザは、携帯オーディオプレーヤ２５をパーソナルコンピュータ１０に接続して使用する場合に、このスイッチをオンに切り替えることで、音声出力機能を有効にすることができる。
【００６５】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【符号の説明】
【００６６】
１０…パーソナルコンピュータ、１１…コンピュータ本体、１７…ＬＣＤ、１８…スピーカ、１９…ラインイン端子、３０…ＣＰＵ、３２…メインメモリ、４２…ＢＩＯＳ−ＲＯＭ、４５…ＥＣ／ＫＢＣ、４６…電源回路、５２…スイッチ、５３…アナログスイッチ、５４…スピーカアンプ。
【図１】
2011192309.tif 000003
【図２】
2011192309.tif 000004
【図３】
2011192309.tif 000005
【図４】
2011192309.tif 000006
【図５】
2011192309.tif 000007
【図６】
2011192309.tif 000008
【図７】
2011192309.tif 000009
【図８】
2011192309.tif 000010
【図９】
2011192309.tif 000011
【図１０】
2011192309.tif 000012
【図１１】
2011192309.tif 000013